(57)【要約】【課題】  撮像モジュールよりも被写体側にセクタ駆動ユニットを配置して小型化する共に、電気的な構成についても簡素化を図った固体撮像装置を提供する。【解決手段】  セクタを駆動するセクタ駆動ユニット４０を、撮像モジュール１０，２０，３０よりも被写体側に配置している固体撮像装置１であって、前記セクタ駆動ユニット４０の駆動を制御する第１の駆動回路１８を前記撮像モジュール側の基板１１に配置している。本固体撮像装置１は、セクタ駆動ユニット４０の駆動を制御する第１の駆動回路１８が撮像モジュール側の基板に配置されているので、新たな基板を配置する場合と比較して構成を簡素化できると共に、既存の基板を有効活用するので更に装置の小型化を図ることができる。【選択図】    図１
2006195403.tif 000002
【特許請求の範囲】
【請求項１】
レンズ及び撮像素子を備える撮像モジュールよりも被写体側に、当該レンズへの入射光を遮断するセクタを駆動するセクタ駆動ユニットを配置している固体撮像装置であって、
前記セクタ駆動ユニットの駆動を制御する第１の駆動回路を前記撮像モジュールの基板に配置したことを特徴とする固体撮像装置。
【請求項２】
前記基板が、前記撮像素子を搭載する撮像基板であることを特徴とする請求項１に記載の固体撮像装置。
【請求項３】
前記セクタ駆動ユニットと前記第１駆動回路とがそれぞれ接続部材により電気的に接続されており、
前記撮像基板の前記接続部材に対向する部分が切欠いてあることを特徴とする請求項２に記載の固体撮像装置。
【請求項４】
前記撮像モジュールが、前記レンズを保持する光学ユニットと、該光学ユニットを前記レンズの光軸方向に駆動するレンズ駆動ユニットとを含み、
前記第１の駆動回路は、前記レンズ駆動ユニットと対向する前記撮像基板に配置されていることを特徴とする請求項２または３に記載の固体撮像装置。
【請求項５】
前記撮像基板に、前記レンズ駆動ユニットの駆動を制御する第２の駆動回路を更に配置したことを特徴とする請求項４に記載の固体撮像装置。
【請求項６】
前記接続部材は、前記レンズ駆動ユニットに設けられたフランジ部により支持されていることを特徴とする請求項４または５に記載の固体撮像装置。
【請求項７】
前記フランジ部の外端部には、前記光軸方向に延伸する突起部が形成されていることを特徴とする請求項６に記載の固体撮像装置。
【請求項８】
前記セクタ駆動ユニットと、前記レンズ駆動ユニットと、前記撮像モジュールと、前記撮像基板とを収納するカバー部材を更に備え、
前記カバー部材の内面と、前記突起部の外側面または前記フランジ部の外側面とが当接していることを特徴とする請求項６または７に記載の固体撮像装置。
【請求項９】
請求項１から８のいずれかに記載の固体撮像装置を備えたことを特徴とする電子機器。
【発明の詳細な説明】
【技術分野】
【０００１】
本発明は固体撮像装置に関する。特にレンズよりも被写体側にセクタ（シャッタ羽根）を駆動するセクタ駆動ユニットを配置している固体撮像装置及び電子機器に関する。
【背景技術】
【０００２】
一般的に固体撮像装置は、レンズを保持する光学ユニットと撮像素子を含む撮像ユニットとの間や、レンズの間に撮像に必要な光を遮断するセクタが配置されていた。ところが、セクタを駆動させるためには、セクタを支持する地板やステップモータ等のアクチュエータを備えたセクタ駆動ユニット（シャッタ装置とも称される）を構成することが必要である。そのために従来の一般的な固体撮像装置は、他の構成間にセクタ駆動ユニットを配置することになり設計上及び作製上の制約が多くなっていた。
【０００３】
そこで、例えば特許文献１は最も被写体側にセクタ駆動ユニットを配置した固体撮像装置を提案している。なお、固体撮像装置には、レンズを保持する光学ユニット、光学ユニットを光軸方向に進退移動するレンズ駆動ユニット、セクタを駆動するセクタ駆動ユニット、撮像素子を含む撮像ユニット等が含まれる。本明細書では、セクタ駆動ユニット以外の他のユニットをまとめて撮像モジュールと称することとする。特許文献１の固体撮像装置は、セクタ駆動ユニットを撮像モジュールよりも被写体側に配置することで、セクタ駆動ユニットの小型化を促進すると共に組付け性の向上を図っている。また、この固体撮像装置はセクタ駆動ユニットが光学ユニットよりも被写体側に位置するので、光学ユニット内のレンズを保護することもできる。
【０００４】
【特許文献１】特開２００４−１５６０２号公報
【発明の開示】
【発明が解決しようとする課題】
【０００５】
ところで、固体撮像装置のセクタ駆動ユニットはセクタを駆動するためのアクチュエータを含むので、アクチュエータを駆動するための駆動回路を配置することが必要である。この特許文献１は、固体撮像装置の駆動回路や電気的接続について何ら記載していない。よって、この固体撮像装置については駆動回路を搭載する基板を別途に準備することが必要である。しかしながら、このように基板を新たに配置すると装置が大型化すると共に、セクタ駆動ユニットと基板とを電気的に接続する配線が必要となるので構成が煩雑になってしまう。
【０００６】
本発明の目的は、撮像モジュールよりも被写体側にセクタ駆動ユニットを配置することで小型化する共に、電気的な構成についても簡素化を図った固体撮像装置及び電子機器を提供することである。
【課題を解決するための手段】
【０００７】
上記目的は、レンズ及び撮像素子を備える撮像モジュールよりも被写体側に、当該レンズへの入射光を遮断するセクタを駆動するセクタ駆動ユニットを配置している固体撮像装置であって、前記セクタ駆動ユニットの駆動を制御する第１の駆動回路を前記撮像モジュールの基板に配置した固体撮像装置により達成される。
【０００８】
本発明によると、セクタ駆動ユニットの駆動を制御する第１の駆動回路が撮像モジュールの基板に配置されているので、新たな基板を配置する場合と比較して構成を簡素化できると共に、既存の基板を有効活用するので更に装置の小型化を図ることができる。
【０００９】
また、前記基板を、前記撮像素子を搭載する撮像基板とする構造としてもよい。
【００１０】
また、前記セクタ駆動ユニットと前記第１駆動回路とがそれぞれ接続部材により電気的に接続されており、前記撮像基板の前記接続部材に対向する部分が切欠いてある構造としてもよい。前記撮像モジュールが、前記レンズを保持する光学ユニットと、該光学ユニットを前記レンズの光軸方向に駆動するレンズ駆動ユニットとを含み、前記第１の駆動回路が前記レンズ駆動ユニットと対向する前記撮像基板に配置されている構造としてもよい。
【００１１】
また、前記撮像基板に、前記レンズ駆動ユニットの駆動を制御する第２の駆動回路を更に配置してもよい。
【００１２】
また、前記接続部材を前記レンズ駆動ユニットに設けられたフランジ部により支持する構造としてもよい。また、前記フランジ部の外端部に、前記光軸方向に延伸する突起部を形成する構造としてもよい。また、前記セクタ駆動ユニットと前記撮像モジュールと前記撮像基板とを収納するカバー部材を更に備え、前記カバー部材の内面と、前記突起部の外側面または前記フランジ部の外側面とを当接する構造としてもよい。
【００１３】
上記固体撮像装置を備えたカメラ、携帯電話等の電子機器であれば小型化を図ることができる。
【発明の効果】
【００１４】
本発明の固体撮像装置は、撮像モジュールよりも被写体側にセクタ駆動ユニットを配置することで小型化できる共に、電気的な構成についても簡素化を図ることができる。
【発明を実施するための最良の形態】
【００１５】
以下、図面を参照して本発明に係る一実施形態を説明する。
【実施例１】
【００１６】
図１は、固体撮像装置１を４個の主要部分に分解して示した斜視図である。図２は組付け状態の固体撮像装置１を示す斜視図である。図３は、図２におけるＡ−Ａ矢視断面である。図４は、被写体側に位置するセクタ駆動ユニットと、組付けられた他のユニット（撮像モジュール）とを示した斜視図である。図５は、固体撮像装置１の平面図である。
【００１７】
図１に示すように固体撮像装置１は、撮像素子１３を含む撮像ユニット１０、レンズ３５〜３７を光軸方向ＬＡに進退移動させるレンズ駆動ユニット２０、レンズ３５〜３７を保持する光学ユニット３０、及びセクタを駆動するセクタ駆動ユニット４０を含んでいる。上記撮像ユニット１０、レンズ駆動ユニット２０及び光学ユニット３０により撮像モジュールが構成される。なお、図１では上側が被写体側である。
【００１８】
図１及び図３を参照すると、撮像ユニット１０は撮像基板１１上の所定位置にホルダ１２、撮像素子１３、カバーガラス１４、光学フィルタ１５を組付けした構造を含んでいる。ホルダ１２は、撮像基板１１の上面の一部を覆うように配置され、内部に所定空間が形成されている。この空間内に、図３で示すように、撮像素子１３及びカバーガラス１４が収納されている。撮像素子１３として例えばＣＣＤ、ＣＭＯＳ等のイメージセンサが配置されている。
【００１９】
上記ホルダ１２には、レンズ３５〜３７を通った入射光を撮像素子９に受光させる撮影用の開口１２ａが形成されており、ホルダ１２の上面には、この開口１２ａを包囲する位置に光軸方向ＬＡに延伸するフランジ１２ｂが設けられている。このフランジ１２ｂ内に収納するとともに、開口１２ａを塞ぐように光学フィルタ１５が配置されている。なお、撮像基板１１上の他の部分には、撮像した画像のデータを処理するＤＳＰ（Digital  Signal  Processor）１６、レンズ駆動ユニット２０の駆動を制御するレンズドライバＩＣ１７、セクタ駆動ユニット４０の駆動を制御するセクタドライバＩＣ１８、並びに複数の電子部品１９が配置されている。
【００２０】
固体撮像装置１は、上記のように撮像基板１１上に第１の駆動回路となるセクタドライバＩＣ１８及び第２の駆動回路となるレンズドライバＩＣ１７を配置している。このような構造は既存の撮像基板１１上の空いたスペースを有効に活用して駆動回路を配置するので、別途に基板を配置する場合と比較して構成の簡素化及び装置の小型化を図ることができる。
【００２１】
また、図３で示すように、ホルダ（部材）１２の上面には、後述するレンズ駆動ユニット２０のケース２１の一部（下端面）が当接している。このように、撮像基板１１に固定されているホルダ１２にレンズ駆動ユニット２０のケース２１を当接する構造とすることにより、撮像ユニット１０に対してレンズ駆動ユニット２０が光軸方向ＬＡで位置決めされる。また、ケース２１の開口２１ａの内周面が、フランジ１２ｂの外周面に当接している。したがって、撮像ユニット１０に対してレンズ駆動ユニット２０を光軸方向ＬＡに垂直な方向で正確に位置決めできる。
【００２２】
そして、ホルダ１２と当接しない部分のケース２１は、所定間隔をもって撮像基板１１と対向した状態となっている。撮像基板１１とケース２１との間に空間が形成されている。この空間を利用して上記ＤＳＰ１６、レンズドライバＩＣ１７及びセクタドライバＩＣ１８が撮像基板１１上に載置されている。この固体撮像装置１は、上記のように撮像ユニット１０及びレンズ駆動ユニット２０間に形成されたスペースを有効活用して、ＤＳＰ１６等の電子部品を効率良く配置している。よって、このような部品配置によっても、固体撮像装置１は小型化が促進されている。
【００２３】
また、固体撮像装置１は各ユニットを電気的に接続するため接続部材としてのＦＰＣ（Flexible  Printed  Circuit）を使用している。レンズ駆動ユニット２０はＦＰＣ２９により撮像基板１１上の回路パターン（不図示）を介して撮像ユニット１０のレンズドライバＩＣ１７と電気的に接続される。同様に、セクタ駆動ユニット４０はＦＰＣ４５により撮像基板１１上の回路パターン（不図示）を介して撮像ユニット１０のセクタドライバＩＣ１８と電気的に接続される。ＦＰＣは可撓性を備えたフィルム状であるので利便性の高い基板である。しかし、ＦＰＣは撓ませた部分が盛り上がる状態となって突出するので、周辺に一定スペースを確保することが必要である。本発明の固体撮像装置１は、ＦＰＣを採用した場合のスペース確保の問題を解消する構成を備えている。この構成については各ユニットの説明をした後に詳述する。
【００２４】
撮像ユニット１０の被写体側にレンズ駆動ユニット２０が配設されている。レンズ駆動ユニット２０は、内部に図示しないステップモータ等のアクチュエータを備えている。アクチュエータを駆動することで光学ユニット３０を光軸方向ＬＡに進退移動させる。光学ユニット３０は、３枚のレンズ３５〜３７（図３参照）とこれらのレンズを保持するレンズホルダ３１とにより形成されている。
【００２５】
レンズ駆動ユニット２０について、より詳細に説明すると外側を覆うケース２１を有している。このケース２１の片側に凹部２３が形成されている。この凹部２３は、光学ユニット３０のレンズホルダ３１及びセクタ駆動ユニット４０の一部を受入れる形状となっている。また、ケース２１には撮影用の開口２１ａが形成されており、上述したように開口２１ａの内周面がフランジ１２ｂの外周面に当接している。レンズ駆動ユニット２０は、凹部２３の下部にレンズホルダ３１を支持する保持部材２５を備えている。保持部材２５はリング状の部材である。図３で示すように、保持部材２５の内周面とレンズホルダ３１の撮像素子側の外周面とを当接させ、保持部材２５上に光学ユニット３０をセットする。レンズ駆動ユニット２０のケース２１内には、不図示のステップモータにより保持部材２５を光軸方向ＬＡに移動する公知の駆動機構（例えば、特開平６−２７３６５６号で示されているカム機構や特開平５−１０７４３８号で示されているリードスクリュー機構等）が配置されている。よって、レンズホルダ３１は保持部材２５を介して光軸方向ＬＡに進退移動される。
【００２６】
保持部材２５は、図１で示すように、光軸方向ＬＡに立設した複数の爪部２６を備えている。この爪部２６は保持部材２５の上面の外周縁寄りに形成されている。一方、レンズホルダ３１の外周面には前記爪部２６に対応する複数の凹部３２が形成されている。レンズホルダ３１が保持部材２５上に搭載されたときに、凹部３２が保持部材２５の爪部２６に係合する（図４の下側の図参照）。凹部３２は、爪部２６と係合した状態で内側に空間３２ＳＰが生じるように爪部２６よりも大きめに形成されている。
【００２７】
組付け工程では上記空間３２ＳＰに接着剤が注入される。空間３２ＳＰは保持部材２５の上面、爪部２６及びレンズホルダ３１の凹部３２により囲まれて形成されている。この空間に接着剤を注入することで保持部材２５とレンズホルダ３１とが接着される。保持部材２５に爪部２６を設けることにより接着剤との接触面積が拡大されるので、保持部材２５とレンズホルダ３１とを確実に固定できる。また、爪部２６が接着剤を堰き止める機能も果たすので接着剤が周部へ流れ出すことを防止できる。なお、保持部材２５の上面は光軸方向ＬＡと垂直に形成され、レンズホルダ３１の保持部材２５と当接する面も高い平面度で形成されている。このようにレンズホルダ３１は保持部材２５上に位置精度良く位置決めされるので、レンズホルダ３１内のレンズ３５〜３７の中心と、撮像ユニット１０の撮像素子１３の受光部中心とが一致する。
【００２８】
さらに保持部材２５について説明する。保持部材２５はリング状の本体部分から半径方向に突出した一対の突出部２８を備え、この突出部２８それぞれから光軸方向ＬＡと平行に一対の突起２７が立ち上がっている。突起２７はリング状である保持部材２５の中央の開口を挟んでほぼ対称に配置されている（図５参照）。なお、ケース２１の凹部２３の内壁は突出部２８に対応する部分が凹状に形成されている。
【００２９】
上記突起２７は、セクタ駆動ユニット４０を保持部材２５に係合させるために形成した部材である。セクタ駆動ユニット４０と保持部材２５に設けた突起２７との関係について説明する。セクタ駆動ユニット４０は光学ユニット３０側（被写体と反対側）に配置される地板４１と被写体側のセクタ押え板４２との間にセクタ室４６が形成されている（図３参照）。このセクタ室４６内に例えば２枚のセクタが揺動自在に配置されている。セクタ駆動ユニット４０の収納部にはセクタを揺動させるアクチュエータ（不図示）が内蔵されている。アクチュエータはＦＰＣ４５を介して撮像基板１１上のセクタドライバＩＣ１８に接続されている。
【００３０】
一方、図１及び図２に示すように、ケース２１の長手方向の凹部２３が形成されている側に、フランジ部２１ｂが形成されている。このフランジ部２１ｂは、ＦＰＣ４５を支持するための部材である。フランジ部２１ｂの短手方向（ケース２１の長手方向）の外端部には、光軸方向に延伸する突起部２１ｃが形成されている。従って、この突起部２１ｃは、ＦＰＣ４５がケース２１の長手方向、すなわち光軸に直交する方向に移動することを規制し、フランジ部２１ｂからフランジ部２１ｂの短手方向外側に脱落することを防いでいる。
【００３１】
固体撮像装置１で最も被写体側となるのは、セクタ駆動ユニット４０のセクタ押え板４２である。このセクタ押え板４２には撮影のための開口４２ａが形成されている。開口４２ａの中心は上記光学ユニット３０のレンズ３５〜３７の中心と一致するように設計されている。図３で示すように、地板４１にもセクタ押え板の開口４２ａと対応する開口４１ａが形成されている。地板４１の開口４１ａは、セクタ押え板４２の開口４２ａより大きく形成されている。
【００３２】
地板４１の開口４１ａは、レンズホルダ３１の被写体側に形成されている段状の外周部３１ａと係合している。より詳細に説明すると、外周部３１ａは光軸方向ＬＡに対して垂直な面を備え、また、開口４１ａが形成された地板４１の下面は平坦に形成されている。よって、図３で示すように、レンズホルダ３１の外周部３１ａに地板４１の開口４１ａを係合させると、光軸方向ＬＡと垂直な方向でセクタ駆動ユニット４０が位置決めされることになる。
【００３３】
さらに上記地板４１の外周部には一対の貫通穴４３が形成されている。この貫通穴４３は保持部材２５の突起２７と嵌合するように形成されている。また、上側のセクタ押え板４２には突起２７と係合する一対の切欠４４が形成されている。よって、図４で示した状態から図２で示す組付け状態にすると、保持部材２５の突起２７に地板４１の貫通穴４３及び切欠４４が係合する。そのためレンズ駆動ユニット２０に対してセクタ駆動ユニット４０が光軸回りで一定位置に位置決めされる。
【００３４】
次に、固体撮像装置１で使用しているＦＰＣ２９、４５の撓みを吸収するための構造について説明する。図１で示す撮像ユニット１０の撮像基板１１の外周部は、ＦＰＣ２９及び４５に対向する部分、すなわち矢印Ａで示す部分及び矢印Ｃで示す部分が凹部状に形成されている。矢印Ｂで示す部分が基板外形の標準位置であり、Ａ部分に切欠１１ａが形成され、Ｃ部分に切欠１１ｂが形成されている。
【００３５】
切欠１１ａはレンズ駆動ユニット２０のＦＰＣ２９用に切欠かれた部分であり、切欠１１ｂはセクタ駆動ユニット４０のＦＰＣ４５用に切欠かれた部分である。図６は、撮像基板１１の底面（被写体と反対側の面）、すなわち固体撮像装置１の底面図である。この図で示すようにＦＰＣ２９及びＦＰＣ４５の一端部が撮像基板１１の底面に接続されて、各ユニット２０、４０と撮像ユニット１０とが電気的に接続されている。そのため先に指摘したように撮像基板１１の側部では、ＦＰＣ２９及びＦＰＣ４５の撓みが発生する状態となる。
【００３６】
しかし、固体撮像装置１の撮像基板１１のＡ部分及びＣ部分のそれぞれに切欠１１ａ、１１ｂが設けられ、これらの切欠がＦＰＣ２９、４５の撓みを吸収する。切欠１１ａ、１１ｂの深さはＦＰＣ２９、４５の撓み量に応じて設定されている。詳細には、ＦＰＣ２９及び４５が撓んだ場合でも、撓んだ部分が撮像基板１１の外形からはみ出さない程度の深さになっている。よって、固体撮像装置１は、レンズ駆動ユニット２０、セクタ駆動ユニット４０及び撮像ユニット１０間の電気的な接続にＦＰＣ２９及び４５を採用しても撮像基板１１の外形から突出することがない。このように撮像基板１１に切欠１１ａ、１１ｂを設けた構造によっても固体撮像装置１は小型が図られている。
【００３７】
以上説明した固体撮像装置１は、撮像ユニット１０、レンズ駆動ユニット２０及び光学ユニット３０による撮像モジュールに対して、最も被写体側に配置されるセクタ駆動ユニット４０が光軸方向ＬＡと垂直な方向及び光軸回りに正確に位置決めされた構造を含むことになる。この固体撮像装置１は小型で鮮明な画像を撮像できる固体撮像装置となる。
【００３８】
特に、固体撮像装置１はレンズ駆動ユニット２０及びセクタ駆動ユニット４０の駆動を制御するレンズドライバＩＣ１７及びセクタドライバＩＣ１８を撮像基板１１に配置しているので構成を簡素化できる。また、ＦＰＣ２９、４５の撓みを吸収するように、撮像基板１１のＦＰＣ２９、４５に対向する部分を切欠いているので更に小型化を促進できる。上記固体撮像装置１を備えたカメラ、携帯電話等の電子機器であれば小型であり、鮮明な画像を撮像できる装置となる。
【００３９】
また、ＦＰＣ２９及び４５を撮像基板１１の同じ側面（図６下方側面）の一部を覆うよう撮像基板１１の底面に接続しているので、ＦＰＣ２９及び４５と撮像基板１１との接続工程において、接続するＦＰＣに応じて撮像モジュール１０やレンズ駆動モジュール２０を固定する治具の各モジュールに対する取り付け位置を変更する必要が無い。これに対して、ＦＰＣ２９及び４５が撮像基板１１の異なる側面を覆うように接続する場合には、ＦＰＣに応じて上記治具の取り付け位置を変更する必要がある。したがって、各ＦＰＣが撮像基板１１の異なる側面を覆う場合よりも、各ＦＰＣと撮像基板１１とをより容易に接続できる。
【００４０】
なお、上記固体撮像装置１のレンズ駆動ユニット２０のケース２１には凹部２３が形成され、この凹部２３内を光学ユニット３０及びセクタ駆動ユニット４０が光軸方向ＬＡに進退移動する。ケース２１は、セクタ駆動ユニット４０の被写体側の移動限界位置及び各部品公差を考慮して突出部２２が形成されている。この突出部２２に凹部２３が形成されている。レンズ駆動ユニット２０により光学ユニット３０及びセクタ駆動ユニット４０が光軸方向ＬＡに移動されるが、セクタ駆動ユニット４０が突出部２２によりも上方に突出することがない。
【００４１】
以下、さらに固体撮像装置１の製造工程の一例を図面を参照して説明する。撮像基板１１に撮像素子１３等の電子部品を搭載する。ホルダ１２を撮像基板１１に接着し、ホルダ１２に光学フィルタ１５を接着する。この工程により撮像ユニット１０が製造される。
【００４２】
ケース２１内の所定位置に保持部材２５を駆動するためのステップモータや駆動機構を収納する。駆動機構にはＦＰＣ２９の一端部を接続する。保持部材２５と駆動機構とを係合させる。レンズホルダ３１内にレンズ３５〜３７を保持している光学ユニット３０を別途準備する。レンズホルダ３１をケース２１の凹部に嵌め込み下端に配置されている保持部材２５上に搭載する。接着剤を空間３２ＳＰ内に塗布し、保持部材２５とレンズホルダ３１とを固定する。この工程によりレンズ駆動ユニット２０を製造し、レンズ駆動ユニット２０に光学ユニット３０を組付ける。
【００４３】
各セクタを地板４１とセクタ押え板４２との間に挟持し、地板４１とセクタ押え板４２とを固定する。収納部にアクチュエータを収納する。アクチュエータにＦＰＣ４５の一端部を接続する。この工程によりセクタ駆動ユニット４０が製造される。セクタ駆動ユニット４０の貫通穴４３に保持部材２５の突起２７を貫通することで、ケース２１の凹部に嵌め込む。このように嵌めこむことで、光学ユニット３０上にセクタ駆動ユニット４０を搭載する。より詳細には、地板４１及びセクタ押え板４２の貫通穴４３及び切欠４４と突起２７を嵌合させる。地板４１の開口４１ａとレンズホルダ３１の外周面３１ａとを当接させる。これによりレンズ駆動ユニット２０の保持部材２５とセクタ駆動ユニット４０の地板４１との間に光学ユニット３０のレンズホルダ３１を挟持した構造となる。地板４１及びセクタ押え板４２の切欠４４と保持部材２５の突起２７との嵌合部分に接着剤を塗布して保持部材２５とセクタ駆動装置４０とを固定する。
【００４４】
撮像ユニット１０にレンズ駆動ユニット２０を搭載する。撮像素子１３の受光部の中心とレンズ３５〜３７の光軸とを合せながら、ケース２１の開口２１ａの内周面をホルダ１２のフランジ１２ｂの外周面に当接させ、ホルダ１２の上面にレンズ駆動ユニット２０のケース２１の下面とを接着する。最後に、レンズ駆動ユニット２０のＦＰＣ２９の他端部及びセクタ駆動ユニット４０のＦＰＣ４５の他端部を、撮像ユニット１０側の撮像基板１１のパターンと接続して固体撮像装置１を製造する。
【００４５】
なお、上記固体撮像装置１は好ましい構造としてレンズドライバＩＣ１７及びセクタドライバＩＣ１８を撮像基板１１上に載置しているが、セクタドライバＩＣ１８についてだけ撮像基板１１に配置する構造を採用する場合でも構成の簡素化に寄与する。
【実施例２】
【００４６】
次に、図７を参照して実施例２に係る固体撮像装置１ａについて説明する。この固体撮像装置１ａの基本構成は実施例１の固体撮像装置１と同様である。よって、固体撮像装置１ａと同一の部分には同じ符号を付すことで重複する説明を省略する。図７は、固体撮像装置１ａの断面図を示している。この図７は実施例１の図３と対応している。
【００４７】
固体撮像装置１ａは、撮像ユニット１０、レンズ駆動ユニット２０、光学ユニット３０、セクタ駆動ユニット４０との全体を、被写体側から覆う箱型のカバー部材５０を備えている。カバー部材５０は、撮像基板１１側の面（底面）が開放されている。従って、固体撮像装置１ａの製造工程は、実施例１に係る固体撮像装置１と同様の工程で、撮像ユニット１０、レンズ駆動ユニット２０、光学ユニット３０、セクタ駆動ユニット４０を組み付けた後に、被写体側からカバー部材５０がこれらユニットを覆うように嵌め込む。嵌め込んだ後に、所定の部分に接着剤を塗布してカバー部材５０を撮像基板１１に固定する。このカバー部材５０は、撮像ユニット１０、レンズ駆動ユニット２０、光学ユニット３０、セクタ駆動ユニット４０を、衝撃や振動から保護するために設けられている。尚、被写体側の面（上面）に撮影用の開口５０ａが設けられている。
【００４８】
次に、カバー部材５０の位置決めについて説明する。カバー部材５０の内底面と、ケース２１の被写体側の端面とが当接する。ここで、ケース２１の被写体側の端面には突出部２２が形成されているが、突出部２２にも当接するように、カバー部材５０の内底面には段部が形成されている。これにより、ケース２１の被写体側の端面が、カバー部材５０の光軸方向の位置決め部となる。また、カバー部材５０の長手方向（図７左右方向）の内側面と、ケース２１の長手方向（図７左右方向）の外側面とが当接する。これにより、ケース２１の長手方向の外側面が、カバー部材５０の光軸方向に垂直な長手方向の位置決め部となる。また、撮像基板１１の長手方向のレンズドライバＩＣ１７が載置されている側の端面と、カバー部材５０の長手方向の内側面が当接する。加えて、ケース２１のフランジ部２１ｂ及び突起部２１ｃの外側面と、カバー部材５０の長手方向の内側面が当接する。これにより、撮像基板１１の端面とフランジ部２１ｂ及び突起部２１ｃの外側面が、カバー部材５０の光軸方向に垂直な長手方向の位置決め部となる。ここで、固体撮像装置の破壊を防止する観点からは、撮像基板１１にカバー部材５０を当接させることが好ましい。しかし、撮像基板１１にカバー部材５０を当接させようとすると、撮像基板１１をレンズ駆動ユニット２０より大きく形成する必要がある。撮像基板１１が大きいと、固体撮像装置全体が大きくなり、小型化を図ることができない。ここで、固体撮像装置１ａのように、フランジ部２１ｂ及び突起部２１ｃの側面と、カバー部材５０の長手方向の内側面を当接させると、専用の位置決め部を設ける必要はない。従って、固体撮像装置を小型化のまま、固体撮像装置の破壊の防止を実現できる。また、突起部２１ｃは前述したように、ＦＰＣ４５がフランジ部２１ｂから脱落することを防いでいる。よって、突起部２１ｃにより、カバー部材５０の位置決めとＦＰＣ４５の脱落の防止を一の部材で実現できるので、構成を簡略化することができる。また、突起部２１ｃは、ＦＰＣ４５が脱落しないように光軸方向に延伸しているので、突起部２１ｃの外側面とカバー部材５０の内側面との接触面積を広くとることができ、カバー部材５０をより安定して位置決めできる。
【００４９】
カバー部材５０は、上記のようにケース２１及び撮像基板１１に当接させた後に、カバー部材５０と撮像基板１１とが当接する部分に接着剤を塗布することによって固定する。
【００５０】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００５１】
【図１】固体撮像装置を４個の主要部分に分解して示した斜視図である。
【図２】組付け状態の固体撮像装置を示す斜視図である。
【図３】図２におけるＡ−Ａ矢視断面である。
【図４】被写体側に位置するセクタ駆動ユニットと、組付けられた他のユニットとを示した斜視図である。
【図５】固体撮像装置の平面図である。
【図６】固体撮像装置の底面図である。
【図７】実施例２に係る固体撮像装置の断面図である。
【符号の説明】
【００５２】
１、１ａ            固体撮像装置
１０                撮像ユニット
１１                撮像基板
１１ａ、１１ｂ      切欠
１２                ホルダ
１３                撮像素子
２０                レンズ駆動ユニット
２１                ケース
２１ｂ              フランジ部
２１ｃ              突起部
２２                突出部
２３                凹部
２５                保持部材
２６                爪部
２７                突起
３０                光学ユニット
３１                レンズホルダ
３５〜３７          レンズ
４０                セクタ駆動ユニット
４１                地板
４１ａ、５０ａ      開口
４２                セクタ押え板
４２ａ              開口
５０                カバー部材
ＬＡ                光軸方向
【図１】
2006195403.tif 000003
【図２】
2006195403.tif 000004
【図３】
2006195403.tif 000005
【図４】
2006195403.tif 000006
【図５】
2006195403.tif 000007
【図６】
2006195403.tif 000008
【図７】
2006195403.tif 000009